(57)【要約】【課題】本発明の課題は、撮影オーダ情報による指示と異なる撮影を行った場合に、撮影オーダ情報を容易かつ確実に修正して管理することである。【解決手段】撮影終了後、携帯端末１０から撮影オーダ情報に対応付けてカセッテＩＤを制御装置２０に送信する際に、制御装置２０は、受信した撮影オーダ情報と、撮影オーダ情報ファイル２６１に記憶されている撮影オーダ情報が一致するか否かを判別し、撮影オーダ情報が一致する場合、受信したカセッテＩＤを撮影オーダ情報に対応付けて記憶する。また、受信した撮影オーダ情報が一致しない場合、撮影オーダ情報の更新を行うか否かを入力させ、更新を行う指示が入力された場合、受信した撮影オーダ情報の内容に更新し、カセッテＩＤを更新した撮影オーダ情報に対応付けて記憶する。【選択図】      図１
2004287904.tif 000002
【特許請求の範囲】
【請求項１】
撮影オーダ情報と医用画像とを対応付けて管理する制御装置と、前記制御装置から撮影オーダ情報を取得する携帯端末と、を備える医用画像撮影システムであって、
前記携帯端末は、
前記制御装置から取得した撮影オーダ情報に基づいて撮影される医用画像を記録するカセッテの識別情報を取得する取得手段と、
前記取得したカセッテの識別情報を当該撮影オーダ情報に対応付けて記憶するとともに、撮影に応じて撮影オーダ情報を更新して記憶する記憶手段と、
前記記憶手段に記憶された撮影オーダ情報及びカセッテの識別情報を送信する通信手段と、を備え、
前記制御装置は、
撮影オーダ情報を記憶する記憶手段と、
前記撮影オーダ情報及びカセッテの識別情報を受信する通信手段と、
前記受信した撮影オーダ情報と、前記記憶手段に記憶した撮影オーダ情報とが一致するか否かを判別する判別手段と、
前記撮影オーダ情報が一致したと判別された場合に、前記受信したカセッテの識別情報を、前記記憶手段に記憶される撮影オーダ情報に対応付けて記憶させる管理手段と、
を備えることを特徴とする医用画像撮影システム。
【請求項２】
前記制御装置は、
前記撮影オーダ情報が一致しないと判別された場合に、撮影オーダ情報を更新するか否かを確認するためのメッセージを表示させる表示制御手段と、
前記撮影オーダ情報を更新するか否かの指示を入力させる入力制御手段と、を備え、
前記管理手段は、前記撮影オーダ情報を更新する指示が入力された場合、前記記憶手段に記憶した撮影オーダ情報を、前記受信した撮影オーダ情報に更新して記憶させ、前記カセッテの識別情報を当該撮影オーダ情報に対応付けて記憶させることを特徴とする請求項１記載の医用画像撮影システム。
【請求項３】
前記制御装置において、
前記入力制御手段は、受信した撮影オーダ情報の修正を入力させ、
前記管理手段は、前記撮影オーダ情報を更新する指示が入力された場合、前記記憶手段に記憶した撮影オーダ情報を、前記修正された撮影オーダ情報に更新して記憶させ、前記カセッテの識別情報を当該撮影オーダ情報に対応付けて記憶させることを特徴とする請求項２記載の医用画像撮影システム。
【請求項４】
前記制御装置において、
前記記憶手段は、撮影オーダ情報の携帯端末への送信済み又は未送信を示す送信履歴を記憶し、
前記表示制御手段は、前記撮影オーダ情報が一致しないと判別された場合に、撮影オーダ情報をキャンセルするか否かを確認するためのメッセージを表示させ、
前記入力制御手段は、前記撮影オーダ情報をキャンセルするか否かの指示を入力させ、
前記管理手段は、前記撮影オーダ情報をキャンセルする指示が入力された場合、前記通信手段を制御して、対応する撮影オーダ情報のキャンセル指示を携帯端末に送信させるとともに、前記記憶手段に記憶されている撮影オーダ情報の送信履歴を未送信に更新して記憶させ、
前記携帯端末において、
前記通信手段は、撮影オーダ情報のキャンセル指示を受信し、
前記記憶手段は、受信したキャンセル指示に対応する撮影オーダ情報を消去することを特徴とする請求項２又は３記載の医用画像撮影システム。
【請求項５】
複数の制御装置に撮影オーダ情報を送信する情報管理装置を備え、
前記制御装置において、
前記管理手段は、前記通信手段を制御して、前記記憶手段に記憶させた撮影オーダ情報及びカセッテの識別情報を情報管理装置に送信し、
前記情報管理装置は、
前記撮影オーダ情報及びカセッテの識別情報を受信する通信手段と、
前記受信した撮影オーダ情報及びカセッテの識別情報を記憶する記憶手段と、
を備えることを特徴とする請求項１から４のいずれか一項に記載の医用画像撮影システム。
【請求項６】
撮影オーダ情報と医用画像とを対応付けて管理する制御装置と、前記制御装置から撮影オーダ情報を取得する携帯端末と、を備える医用画像撮影システムにおける医用画像管理方法であって、
前記制御装置から取得した撮影オーダ情報に基づいて撮影される医用画像を記録するカセッテの識別情報を取得する工程と、
前記取得したカセッテの識別情報を当該撮影オーダ情報に対応付けて記憶するとともに、撮影に応じて撮影オーダ情報を更新して記憶する工程と、
前記撮影オーダ情報及びカセッテの識別情報を送信する工程と、
撮影オーダ情報を記憶手段に記憶する工程と、
前記撮影オーダ情報及びカセッテの識別情報を受信する工程と、
前記受信した撮影オーダ情報と、前記記憶手段に記憶した撮影オーダ情報とが一致するか否かを判別する工程と、
前記撮影オーダ情報が一致したと判別された場合に、前記受信したカセッテの識別情報を撮影オーダ情報に対応付けて記憶させる工程と、
を含むことを特徴とする医用画像管理方法。
【請求項７】
前記撮影オーダ情報が一致しないと判別された場合に、撮影オーダ情報を更新するか否かを確認するためのメッセージを表示させる工程と、
前記撮影オーダ情報を更新するか否かの指示を入力させる工程と、
前記撮影オーダ情報を更新する指示が入力された場合、前記記憶手段に記憶した撮影オーダ情報を、前記受信した撮影オーダ情報に更新して記憶させ、前記カセッテの識別情報を当該撮影オーダ情報に対応付けて記憶させる工程と、
を含むことを特徴とする請求項６記載の医用画像管理方法。
【請求項８】
前記受信した撮影オーダ情報の修正を入力する工程と、
前記撮影オーダ情報を更新する指示が入力された場合、前記記憶手段に記憶した撮影オーダ情報を、前記修正された撮影オーダ情報に更新して記憶させ、前記カセッテの識別情報を当該撮影オーダ情報に対応付けて記憶させる工程とを含むことを特徴とする請求項７記載の医用画像管理方法。
【請求項９】
撮影オーダ情報の携帯端末への送信済み又は未送信を示す送信履歴を記憶する工程と、
前記撮影オーダ情報が一致しないと判別された場合に、撮影オーダ情報をキャンセルするか否かを確認するためのメッセージを表示させる工程と、
前記撮影オーダ情報をキャンセルするか否かの指示を入力させる工程と、
前記撮影オーダ情報をキャンセルする指示が入力された場合、対応する撮影オーダ情報のキャンセル指示を携帯端末に送信させるとともに、前記撮影オーダ情報の送信履歴を未送信に更新して記憶させる工程と、
撮影オーダ情報のキャンセル指示を受信する工程と、
受信したキャンセル指示に対応する撮影オーダ情報を消去する工程と、
を含むことを特徴とする請求項６又は７記載の医用画像管理方法。
【請求項１０】
前記記憶手段に記憶させた撮影オーダ情報及びカセッテの識別情報を情報管理装置に送信する工程と、
前記撮影オーダ情報及びカセッテの識別情報を受信する工程と、
前記受信した撮影オーダ情報及びカセッテの識別情報を記憶する工程と、
を含むことを特徴とする請求項６から９のいずれか一項に記載の医用画像管理方法。
【発明の詳細な説明】
【０００１】
【発明の属する技術分野】
本発明は、医用画像撮影システム及び医用画像管理方法に関するものである。
【０００２】
【従来の技術】
医療の分野においては、例えば、コンピュータ断層画像撮影装置（以下、「ＣＴ（Ｃｏｍｐｕｔｅｄ  Ｔｏｍｏｇｒａｐｈｙ）」と記す）やコンピュータ放射線画像撮影装置（以下、「ＣＲ（Ｃｏｍｐｕｔｅｄ  Ｒａｄｉｏｇｒａｐｈｙ）」と記す）、核磁気共鳴イメージング装置（以下、「ＭＲＩ（Ｍａｇｎｅｔｉｃ  Ｒｅｓｏｎａｎｃｅ  Ｉｍａｇｉｎｇ）」と記す）等を備える医用画像撮影システムが利用されている。この医用画像撮影システムは、被験体である患者を撮影し、その撮影した医用画像をデジタル画像データとして取得するシステムである。
【０００３】
なかでも、放射線画像撮影装置は、支持体上に輝尽性蛍光体層を形成した医用画像変換パネルを使用するもので、この変換パネルの輝尽性蛍光体層に被写体を透過した放射線を吸収させ、被写体各部の放射線透過度に対応する放射線エネルギーを蓄積させて潜像を形成する。その後、この蛍光体層を赤外線等の輝尽励起光で走査することにより蓄積された放射線エネルギーを蛍光として放射させてその蛍光を光電変換し、医用画像信号を得るものである。このようにして取得された医用画像は画像処理を施された後にフィルム、或いはＣＲＴ等の出力装置に出力されて可視化されたり、サーバ等のファイリング装置に患者の情報とともに保存され、医療活動に利用されている。
【０００４】
このような放射線画像撮影装置を利用した医用画像撮影システムには、大きく分けて二つのシステム構成がとられる。一つは、画像の撮影装置（例えば、Ｘ線装置）と、読取装置と、輝尽性蛍光体プレートとを撮影室、又は、撮影室近傍に設置し、撮影室にて撮影を行う従来の医用画像撮影システムである。このシステムにおいては、撮影室にて撮影と同時に画像の読み取りを行うことができる。
【０００５】
もう一つは、骨折や脳血管疾患等の患者や集中治療室にて管理中の患者等、撮影室にて撮影が行えない患者の為に、回診用の移動可能な撮影装置と、蛍光体プレートを内蔵した持ち運び可能なカセッテとを利用して、回診先において撮影を行う医用画像撮影システムである（例えば、特許文献１参照）。このシステムにおいては、撮影後にカセッテ専用の読取装置にカセッテを挿入し、撮影した画像の読み取りを行う。
【０００６】
上述した回診先にて撮影を行う医用画像撮影システムにおいて、技師が撮影を行う過程を以下に説明する。まず、技師は、病院内の情報管理システム（以下、「ＨＩＳ（Ｈｏｓｐｉｔａｌ  Ｉｎｆｏｒｍａｔｉｏｎ  Ｓｙｓｔｅｍ）」と記す）や放射線科内の情報管理システム（以下、「ＲＩＳ（Ｒａｄｉｏｌｏｇｙ  Ｉｎｆｏｒｍａｔｉｏｎ  Ｓｙｓｔｅｍ）」と記す）等において、医師からの指示により作成された撮影オーダ情報をオーダ用紙に印刷する。この撮影オーダ情報には、撮影する患者の氏名や性別等の患者に関する情報（以下、「患者情報」と記す）や、撮影部位や撮影方法等の撮影に関する情報（以下、「撮影情報」と記す）が含まれ、どの患者に対して、どのような撮影を行うかといった指示が示されている。
【０００７】
次いで、移動可能な撮影装置、カセッテ、オーダ用紙等を患者がいる病室に搬送し、オーダ用紙に印刷された撮影オーダ情報に基づいて撮影対象となる患者の確認を行う。続いて、技師は、どのカセッテを使って撮影を行ったかを明確にするため、使用するカセットに固有の識別情報を撮影オーダ情報に対応付けてオーダ用紙に記録しておく。そして、患者の確認及びカセッテの識別情報を記録後、技師は、撮影装置を操作して患者の撮影を実行し、医用画像をカセッテに記録する。
【０００８】
さらに、撮影終了後、撮影室に戻り、技師は、オーダ用紙の記録に基づいて、撮影に使用したカセッテの識別情報を撮影オーダ情報に対応付けて制御装置に入力する。続いて、医用画像が記録されたカセッテをカセッテ用の読取装置に挿入して、カセッテから医用画像を読み取る。そして、制御装置において、読取装置により読み取った医用画像と、撮影オーダ情報との対応付けを行う。
【０００９】
【特許文献１】
特開２０００−１３９８８８号公報
【００１０】
【発明が解決しようとする課題】
ところで、上述した回診先にて医用画像の撮影を行う場合、不測の事態により、撮影オーダ情報により指示された通りに撮影が行えない場合がある。例えば、患者の不在により撮影自体が行えない場合、患者の容態に応じて特定の撮影方向の撮影が行えない場合、或いは、医師の指示により、回診先において撮影部位、撮影枚数の追加を指示される場合等がある。このような場合、技師は、追加又は変更の内容をオーダ用紙に記録しておき、撮影終了後、オーダ用紙の記録に基づいて、追加又は変更のあった撮影オーダ情報の修正を行う必要があった。
【００１１】
撮影終了後は、オーダ用紙に記録されたカセッテの識別情報を制御装置に入力し、入力されたカセッテの識別情報に基づいて、医用画像と、撮影オーダ情報との対応付けを行う処理も必要であり、修正内容が多岐に渡る場合、技師の作業負担が大きく、入力処理が煩雑であった。このため、技師の操作による入力ミスが生じる場合があり、このようなミスが生じた場合、撮影オーダ情報と医用画像との整合が取れなくなるという問題があった。
【００１２】
本発明の課題は、撮影オーダ情報による指示と異なる撮影を行った場合に、撮影オーダ情報を容易かつ適切に修正するとともに、撮影が行われなかった撮影オーダ情報を的確に管理することが可能な医用画像撮影システム及び医用画像管理方法を提供することである。
【００１３】
【課題を解決するための手段】
上記課題を解決するために、請求項１記載の発明は、
撮影オーダ情報と医用画像とを対応付けて管理する制御装置と、前記制御装置から撮影オーダ情報を取得する携帯端末と、を備える医用画像撮影システムであって、
前記携帯端末は、
前記制御装置から取得した撮影オーダ情報に基づいて撮影される医用画像を記録するカセッテの識別情報を取得する取得手段と、
前記取得したカセッテの識別情報を当該撮影オーダ情報に対応付けて記憶するとともに、撮影に応じて撮影オーダ情報を更新して記憶する記憶手段と、
前記撮影オーダ情報及びカセッテの識別情報を送信する通信手段と、を備え、
前記制御装置は、
撮影オーダ情報を記憶する記憶手段と、
前記撮影オーダ情報及びカセッテの識別情報を受信する通信手段と、
前記受信した撮影オーダ情報と、前記記憶手段に記憶した撮影オーダ情報とが一致するか否かを判別する判別手段と、
前記撮影オーダ情報が一致したと判別された場合に、前記受信したカセッテの識別情報を撮影オーダ情報に対応付けて記憶手段に記憶させる管理手段と、
を備えることを特徴とする。
【００１４】
したがって、制御装置の記憶手段に記憶されている撮影オーダ情報と、携帯端末から受信した撮影オーダ情報とが一致している場合にのみ、携帯端末から受信したカセッテの識別情報を撮影オーダ情報に対応付けて記憶手段に記憶させることができる。これにより、記憶手段に記憶されている撮影オーダ情報と一致しない撮影オーダ情報が記憶されてしまうことによるトラブルの発生を防ぐことができ、効率良く撮影オーダ情報及びカセッテの識別情報を対応付けて管理することができる。
【００１５】
請求項２記載の発明は、請求項１記載の医用画像撮影システムにおいて、
前記制御装置は、
前記撮影オーダ情報が一致しないと判別された場合に、撮影オーダ情報を更新するか否かを確認するためのメッセージを表示させる表示制御手段と、
前記撮影オーダ情報を更新するか否かの指示を入力させる入力制御手段と、を備え、
前記管理手段は、前記撮影オーダ情報を更新する指示が入力された場合、前記記憶手段に記憶した撮影オーダ情報を、前記受信した撮影オーダ情報に更新して記憶させ、前記カセッテの識別情報を当該撮影オーダ情報に対応付けて記憶させることを特徴とする。
【００１６】
したがって、制御装置の記憶手段に記憶されている撮影オーダ情報と、携帯端末から受信した撮影オーダ情報とが一致しない場合、撮影オーダ情報を更新するか否かのメッセージを表示し、撮影オーダ情報を更新するか否かの指示を入力させることができる。これにより、撮影オーダ情報が一致しない場合に、技師の判断に応じて撮影オーダ情報の更新を行うことができ、撮影オーダ情報の指示通りに撮影が行えなかった場合であっても、その変更に応じて、撮影オーダ情報を修正して管理することができる。
【００１７】
請求項３記載の発明は、請求項２記載の医用画像撮影システムにおいて、
前記制御装置において、
前記入力制御手段は、受信した撮影オーダ情報の修正を入力させ、
前記管理手段は、前記撮影オーダ情報を更新する指示が入力された場合、前記記憶手段に記憶した撮影オーダ情報を、前記修正された撮影オーダ情報に更新して記憶させ、前記カセッテの識別情報を当該撮影オーダ情報に対応付けて記憶させることを特徴とする。
【００１８】
したがって、撮影オーダ情報が一致しない場合、例えば、撮影状況に応じて撮影オーダ情報に変更があった場合、技師の意図しない要因により携帯端末に記憶された撮影オーダ情報に変更があった場合に、制御装置において、変更があった部分の修正や追加修正を行い、撮影オーダ情報を適切に管理することができる。
【００１９】
請求項４記載の発明は、請求項２又は３記載の医用画像撮影システムにおいて、
前記制御装置において、
前記記憶手段は、撮影オーダ情報の携帯端末への送信済み又は未送信を示す送信履歴を記憶し、
前記表示制御手段は、前記撮影オーダ情報が一致しないと判別された場合に、撮影オーダ情報をキャンセルするか否かを確認するためのメッセージを表示させ、
前記入力制御手段は、前記撮影オーダ情報をキャンセルするか否かの指示を入力させ、
前記管理手段は、前記撮影オーダ情報をキャンセルする指示が入力された場合、前記通信手段を制御して、対応する撮影オーダ情報のキャンセル指示を携帯端末に送信させるとともに、前記記憶手段に記憶されている撮影オーダ情報の送信履歴を未送信に更新して記憶させ、
前記携帯端末において、
前記通信手段は、撮影オーダ情報のキャンセル指示を受信し、
前記記憶手段は、受信したキャンセル指示に対応する撮影オーダ情報を消去することを特徴とする。
【００２０】
したがって、撮影オーダ情報とが一致しない場合、制御装置は、撮影オーダ情報をキャンセルするか否かのメッセージを表示し、撮影オーダ情報をキャンセルするか否かの指示を入力させる。そして、撮影オーダ情報をキャンセルする指示が入力された場合、携帯端末にキャンセル指示を送信し、携帯端末に記憶された対応する撮影オーダ情報を消去する。これにより、例えば、携帯端末から受信した撮影オーダ情報にカセッテの識別情報が対応付けられていない場合、技師は撮影が行われなかったと判断して、携帯端末に記憶させた撮影オーダ情報を消去することができる。この結果、撮影が行われなかった撮影オーダ情報がいつまでも携帯端末に残存することなく、撮影忘れを防止することができる。
【００２１】
請求項５記載の発明は、請求項１から４のいずれか一項に記載の医用画像撮影システムにおいて、
複数の制御装置に撮影オーダ情報を送信する情報管理装置を備え、
前記制御装置において、
前記管理手段は、前記通信手段を制御して、前記記憶手段に記憶させた撮影オーダ情報及びカセッテの識別情報を情報管理装置に送信し、
前記情報管理装置は、
前記撮影オーダ情報及びカセッテの識別情報を受信する通信手段と、
前記受信した撮影オーダ情報及びカセッテの識別情報を記憶する記憶手段と、
を備えることを特徴とする。
【００２２】
したがって、制御装置は、記憶手段に記憶させた撮影オーダ情報及びカセッテの識別情報を情報管理装置に送信し、情報管理装置は、複数の制御装置から受信した撮影オーダ情報及びカセッテの識別情報を統括して管理することができる。すなわち、情報管理装置は、最新の情報に更新された撮影オーダ情報及びカセッテの識別情報を受信し、これらの情報に基づいて、医用画像撮影システム全体を効率良く管理することができる。
【００２３】
請求項６記載の発明は、
撮影オーダ情報と医用画像とを対応付けて管理する制御装置と、前記制御装置から撮影オーダ情報を取得する携帯端末と、を備える医用画像撮影システムにおける医用画像管理方法であって、
前記制御装置から取得した撮影オーダ情報に基づいて撮影される医用画像を記録するカセッテの識別情報を取得する工程と、
前記取得したカセッテの識別情報を当該撮影オーダ情報に対応付けて記憶するとともに、撮影に応じて撮影オーダ情報を更新して記憶する工程と、
前記撮影オーダ情報及びカセッテの識別情報を送信する工程と、
撮影オーダ情報を記憶手段に記憶する工程と、
前記撮影オーダ情報及びカセッテの識別情報を受信する工程と、
前記受信した撮影オーダ情報と、前記記憶手段に記憶した撮影オーダ情報とが一致するか否かを判別する工程と、
前記撮影オーダ情報が一致したと判別された場合に、前記受信したカセッテの識別情報を撮影オーダ情報に対応付けて記憶させる工程と、
を含むことを特徴とする。
【００２４】
請求項７記載の発明は、請求項６記載の医用画像管理方法において、
前記撮影オーダ情報が一致しないと判別された場合に、撮影オーダ情報を更新するか否かを確認するためのメッセージを表示させる工程と、
前記撮影オーダ情報を更新するか否かの指示を入力させる工程と、
前記撮影オーダ情報を更新する指示が入力された場合、前記記憶手段に記憶した撮影オーダ情報を、前記受信した撮影オーダ情報に更新して記憶させ、前記カセッテの識別情報を当該撮影オーダ情報に対応付けて記憶させる工程と、
を含むことを特徴とする。
【００２５】
請求項８記載の発明は、請求項７記載の医用画像管理方法において、
前記受信した撮影オーダ情報の修正を入力する工程と、
前記撮影オーダ情報を更新する指示が入力された場合、前記記憶手段に記憶した撮影オーダ情報を、前記修正された撮影オーダ情報に更新して記憶させ、前記カセッテの識別情報を当該撮影オーダ情報に対応付けて記憶させる工程とを含むことを特徴とする。
【００２６】
請求項９記載の発明は、請求項７又は８記載の医用画像管理方法において、
撮影オーダ情報の携帯端末への送信済み又は未送信を示す送信履歴を記憶する工程と、
前記撮影オーダ情報が一致しないと判別された場合に、撮影オーダ情報をキャンセルするか否かを確認するためのメッセージを表示させる工程と、
前記撮影オーダ情報をキャンセルするか否かの指示を入力させる工程と、
前記撮影オーダ情報をキャンセルする指示が入力された場合、対応する撮影オーダ情報のキャンセル指示を携帯端末に送信させるとともに、前記撮影オーダ情報の送信履歴を未送信に更新して記憶させる工程と、
撮影オーダ情報のキャンセル指示を受信する工程と、
受信したキャンセル指示に対応する撮影オーダ情報を消去する工程と、
を含むことを特徴とする。
【００２７】
請求項１０記載の発明は、請求項６から９のいずれか一項に記載の医用画像管理方法において、
前記記憶手段に記憶させた撮影オーダ情報及びカセッテの識別情報を情報管理装置に送信する工程と、
前記撮影オーダ情報及びカセッテの識別情報を受信する工程と、
前記受信した撮影オーダ情報及びカセッテの識別情報を記憶する工程と、
を含むことを特徴とする。
【００２８】
【発明の実施の形態】
以下、図を参照して本発明の実施の形態を詳細に説明する。ただし、発明の範囲は、図示例に限定されない。なお、以下では、本発明に特徴的な実施の形態の一例として、持ち運び可能な携帯端末と、移動可能な撮影装置とを利用した、回診先にて撮影を行う医用画像撮影システムについて説明を行う。
【００２９】
まず、本実施の形態の構成を説明する。
図１は、本発明に係る医用画像撮影システム１００のシステム構成を示す概念図である。図１に示すように、医用画像撮影システム１は、携帯端末１０、通信端末１０−１、制御装置２０、医用画像読取装置３０、ポータブル撮影装置４０、カセッテ５０、情報管理装置６０等から構成されている。また、制御装置２０、医用画像読取装置３０及び情報管理装置６０は、ネットワークＮを介して接続されており、携帯端末１０及び制御装置２０は、通信端末１０−１を介して接続可能な構成となっている。
【００３０】
携帯端末１０は、ポータブル撮影装置４０を操作する技師等が携帯する携帯型情報端末装置であり、後述する通信端末１０−１を介して制御装置２０と通信を行う。また、携帯端末１０は、制御装置２０から撮影オーダ情報を取得して表示するが、複数患者の撮影オーダがある場合、撮影オーダ情報の中から所望の患者ＩＤに対応する撮影オーダ情報を検索して表示する。
【００３１】
通信端末１０−１は、ケーブル等を介して制御装置２０と接続され、通信端末１０−１に装着された携帯端末１０と制御装置２０との間でデータの送受信を制御する。例えば、通信端末１０−１は、制御装置２０から携帯端末１０への撮影オーダ情報の送信を制御したり、携帯端末１０から制御装置２０への撮影オーダ情報及びカセッテＩＤの送信を制御する。
【００３２】
制御装置２０は、情報管理装置６０から撮影オーダ情報を受信し、受信した撮影オーダ情報を通信端末１０−１を介して携帯端末１０に送信する。また、制御装置２０は、撮影終了後、携帯端末１０から撮影オーダ情報に対応付けられたカセッテ５０の識別情報を受信し、カセッテ５０の識別情報に基づいて撮影オーダ情報と医用画像との対応付けを行い、医用画像を管理する。さらに、撮影オーダ情報とカセッテ５０の識別情報とを対応付けて情報管理装置６０に送信する。
【００３３】
医用画像読取装置３０は、カセッテ５０に記録された医用画像を読み取る医用画像読取装置である。医用画像読取装置３０は、カセッテ５０の輝尽性蛍光体シートに励起光を照射し、これによりシートから発光される輝尽光を光電変換し、得られた画像信号をＡ／Ｄ変換して、医用画像を取得する。また、医用画像読取装置３０は、カセッテ５０に付帯するカセッテＩＤを読み取り、医用画像と、カセッテＩＤを対応付けて制御装置２０に送信する。
【００３４】
ポータブル撮影装置４０は、移動可能な医用画像撮影装置であり、回診先において患者の撮影を行い、装置本体に着脱可能なカセッテ５０に医用画像を記録する。カセッテ５０は、放射線エネルギーの一部を蓄積する輝尽性蛍光体シートを内蔵しており、放射線源から照射され、照射線源とカセッテとの間に配置される被験体を通過した照射エネルギーの一部を上記輝尽性蛍光体シートに蓄積する。なお、カセッテ５０の表面には、カセッテ５０の識別情報となるカセッテＩＤを記録するバーコード等が付されている。
【００３５】
情報管理装置６０は、医師から指示された撮影オーダ情報を一括して管理する端末であり、制御装置２０からの要求指示に応じて、撮影オーダ情報を抽出し、制御装置２０に抽出した撮影オーダ情報を送信する。なお、他の情報管理装置として、撮影オーダ情報の予約受付を行う受付装置（図示せず）を適用しても良く、ＨＩＳ（Ｈｏｓｐｉｔａｌ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）等の情報管理システムを適用することとしてもよい。
【００３６】
ネットワークＮは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用可能である。なお、病院等の医療機関内で許可されるのであれば、無線通信や赤外線通信であってもよいが、撮影オーダ情報を送受信する際には重要な患者情報を含むため、撮影オーダ情報は暗号化することが好ましい。
【００３７】
次に、本発明において主要な構成要素となる各装置について詳細に説明する。
図２は、携帯端末１０の機能的構成を示すブロック図である。図２に示すように、携帯端末１０は、ＣＰＵ１１、操作部１２、表示部１３、通信手段としてのＩ／Ｆ１４、ＲＡＭ１５、記憶手段としての記憶装置１６、取得手段としてのバーコードリーダ１７等から構成され、各部はバス１８により接続されている。
【００３８】
ＣＰＵ（Ｃｅｎｔｒａｌ  Ｐｒｏｃｅｓｓｉｎｇ  Ｕｎｉｔ）１１は、記憶部１６に格納されているシステムプログラム及び各種アプリケーションプログラムの中から指定されたプログラムをＲＡＭ１５に展開し、当該プログラムに従って携帯端末１０の各部を集中制御する。
【００３９】
具体的にＣＰＵ１１は、記憶装置１６から撮影準備処理処理プログラム、撮影開始処理プログラムを読み出して、後述する撮影準備処理（図５（ｂ）参照）、撮影開始処理（図９参照）、撮影終了後処理（図１２参照）を実行する。なお、各処理の詳細については後述する。
【００４０】
操作部１２は、カーソルキー、数字キー及び各種機能キー等を備えて構成され、撮影者により押下されたキーに対応する押下信号をＣＰＵ１１に出力する。また、操作部１２は、ジョグダイアルキーを備え、ジョグダイアルキーの操作に応じて表示部１３に表示された情報をスクロール（移動）させるための指示信号をＣＰＵ１１に出力する。また、ジョグダイアルキーが押下されると、表示されている情報に対する押下信号をＣＰＵ１１に出力する。なお、操作部１２は、必要に応じてタッチパネル等のポインティングデバイスや、その他の入力装置を備えるものとしてもよい。
【００４１】
表示部１３は、ＬＣＤ（Ｌｉｑｕｉｄ  Ｃｒｙｓｔａｌ  Ｄｉｓｐｌａｙ）等による表示ディスプレイを備えた表示手段であり、ＣＰＵ１１からの表示指示に基づいて撮影オーダ情報や、取得した患者ＩＤ、カセッテＩＤ等の各種情報を表示する。
【００４２】
Ｉ／Ｆ１４は、携帯端末１０と通信端末１０−１とを接続するためのインターフェースであり、携帯端末１０が通信端末１０−１に装着されると、検出信号をＣＰＵ１１に出力する。また、Ｉ／Ｆ１４は、通信端末１０−１を介して、携帯端末１０と制御装置２０との間で、データの転送速度の調整や、データ形式の変換を行い、両者間のデータのやりとりを仲介する。
【００４３】
例えば、Ｉ／Ｆ１４は、制御装置２０から撮影オーダ情報を受信するとともに、撮影終了後、撮影オーダ情報に対応づけられたカセッテＩＤを、制御装置２０に送信する。なお、Ｉ／Ｆ１４は、必要に応じてＰＨＳ等の携帯電話端末を接続し、無線通信を確立してデータの送受信を行う構成であってもよい。
【００４４】
ＲＡＭ（Ｒａｎｄｏｍ  Ａｃｃｅｓｓ  Ｍｅｍｏｒｙ）１５は、前述の指定されたアプリケーションプログラム、入力指示、入力データ及び処理結果等を格納するワークメモリエリアを有する。
【００４５】
記憶装置１６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置１６に固定的に設けられるもの又は着脱自在に装着するものである。
【００４６】
また、記憶装置１６は、制御装置２０から受信した撮影オーダ情報を格納するための撮影オーダ情報ファイル１６１を記憶している。図３を参照して撮影オーダ情報ファイル１６１について説明する。図３は、撮影オーダ情報ファイル１６１のデータ構成例を示す図である。図３に示すように、撮影オーダ情報ファイル１６１は、撮影ＩＤ、患者ＩＤ、氏名、性別、年齢、病室、依頼科、撮影部位、撮影枚数、カセッテ５０の識別情報（以下、「カセッテＩＤ」と記す）を格納するための項目を有し、撮影オーダ情報毎に各項目に対応するデータを格納する。
【００４７】
撮影ＩＤの項目には、撮影を特定するために一義的に割り当てられた識別コード（例えば、２００２０１０１００１、２００２０１０１００２、２００２０１０１００３、…）が格納される。患者ＩＤの項目には、撮影を受ける患者を特定するために一義的に割り当てられた識別コード（例えば、１００００００２、１０００００５、…）が格納される。氏名の項目には、撮影対象となる患者の名前を示す文字情報が格納され、性別の項目には、撮影対象となる患者の性別を示す文字情報が格納される。年齢の項目には、撮影対象となる患者の年齢が数字情報により格納され、病室の項目には、撮影場所となる病室を示す文字情報が格納される。
【００４８】
依頼科の項目には、撮影を依頼した依頼科を示す文字情報が格納され、撮影部位の項目には、撮影部位を示す情報（例えば、頭蓋骨Ａ→Ｐ、頭蓋骨Ｐ→Ａ、胸部Ｐ→Ａ、…）が格納され、撮影枚数の項目には、撮影する医用画像の枚数が数字情報（例えば、３，４，５，…）により格納される。
【００４９】
カセッテＩＤの項目には、撮影を行ったカセッテを特定するために一義的に割り当てられたカセッテＩＤ（例えば、カセッテ５０に付されたバーコード等から読み取られる情報）が格納される。なお、撮影準備段階においてカセッテＩＤのデータは格納されておらず、ベッドサイドでの撮影時にバーコードリーダ１７により読み取られたカセッテＩＤが格納される構成となっている。
【００５０】
なお、撮影オーダ情報には、患者情報として患者ＩＤ、氏名、性別、年齢の他、例えば、担当医師名、感染症等を警告する警告情報、薬物アレルギーの有無、妊娠の有無、追加病歴、車椅子や担架等の特別な介護の必要性、臨床診断名、守秘事項等の各種患者情報が格納される構成であっても良い。また、撮影情報として撮影部位、撮影装置、枚数の他、例えば、撮影方法（単純撮影、造影撮影等）、撮影予定日等の各種撮影情報が格納される構成であっても良い。
【００５１】
バーコードリーダ１７は、カセッテＩＤを取得するための取得手段の一例であり、光学的な読み取り装置であるスキャナを備えている。バーコードリーダ１７は、スキャナにてバーコードを読み取り、所定の規格に従ってデコードすることにより、バーコードが示す情報を取得する。ここで、所定の規格とは、ＪＡＮコード、ＵＰＣコード、ＣＯＤＥ３９、ＣＤＥ９３、ＣＯＤＥ１２８、ＮＷ−７、ＩＮＤＵＳＴＲＩＡＬ  ２ｏｆ５、ＩＴＦ物流コード等である。
【００５２】
具体的に、バーコードリーダ１７は、撮影を行う際に医用画像を記録するカセッテ５０に付帯されたバーコードを読み取り、カセッテＩＤを取得する。また、バーコードリーダ１７は、患者のベッドサイド又は患者の身体の一部に付帯されたバーコードを読み取り、患者ＩＤの認証を行った後、当該患者の撮影オーダ情報に対応するカセッテＩＤの対応付けが可能になるように構成してもよい。
【００５３】
図４は、制御装置２０の機能的構成を示すブロック図である。図４に示すように、制御装置２０は、ＣＰＵ２１、入力部２２、表示部２３、通信制御部２４、ＲＡＭ２５、記憶装置２６、Ｉ／Ｆ２７等を備えて構成され、各部はバス２８により接続されている。
【００５４】
ＣＰＵ２１は、記憶装置２６に記憶されているシステムプログラムや各種制御プログラムを読み出し、ＲＡＭ２５に展開し、該制御プログラムに従って各部の動作を集中制御する。また、ＣＰＵ２１は、ＲＡＭ２５に展開したプログラムに従って各種処理を実行し、その処理結果をＲＡＭ２５に一時記憶させるとともに、表示部２３に表示させる。
【００５５】
具体的に、ＣＰＵ２１は、記憶装置２６から撮影準備処理プログラム、撮影終了後処理プログラムを読み出して、後述する撮影準備処理（図５（ａ）参照）、撮影終了後処理（図１１参照）を実行する。
【００５６】
入力部２２は、カーソルキー、数字入力キー、及び各種機能キー等を備えたキーボードを含み、このキーボードで押下されたキーに対応する押下信号をＣＰＵ２１に出力する。なお、入力部２２は、必要に応じてマウス、タッチパネル等のポインティングデバイスや、その他の入力装置を備えることとしてもよい。
【００５７】
表示部２３は、ＬＣＤやＣＲＴ（Ｃａｔｈｏｄｅ  Ｒａｙ  Ｔｕｂｅ）等により構成され、ＣＰＵ２１から入力される表示信号の指示に従って、入力部２２からの入力指示やデータ等を表示する。
【００５８】
通信制御部２４は、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してネットワークＮに接続された各装置との間の通信を制御する。
【００５９】
ＲＡＭ２５は、ＣＰＵ１１により実行制御される各種処理において、記憶装置２６から読み出されたＣＰＵ２１で実行可能なシステムプログラム、制御プログラム、入力若しくは出力データ、及びパラメータ等の一時的に記憶する記憶領域を形成する。
【００６０】
記憶装置２６は、ＨＤＤ（Ｈａｒｄ  Ｄｉｓｃ  Ｄｒｉｖｅ）や不揮発性の半導体メモリ等により構成され、ＣＰＵ２１で実行されるシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、もしくは半導体メモリで構成され、記憶装置２６に固定的、或いは着脱自在に装着するものである。これらの各種プログラムは、読取可能なプログラムコードの形態で格納され、ＣＰＵ２１は、当該プログラムコードに従った動作を逐次実行する。
【００６１】
また、記憶装置２６は、情報管理装置６０から受信した撮影オーダ情報を記憶するための撮影オーダ情報ファイル２６１を格納している。なお、撮影オーダ情報ファイル２６１は、上述した撮影オーダ情報ファイル１６１（図３参照）と略同一の構成によってなるため、図示及び詳細な説明を省略する。さらに、記憶装置２６は、医用画像読取装置４０から受信した医用画像を撮影オーダ情報に対応付けて記憶する。
【００６２】
Ｉ／Ｆ２７は、制御装置２０と通信端末１０−１とを接続するためのインターフェースであり、携帯端末１０が通信端末１０−１に装着されたことを検出すると、検出信号をＣＰＵ１１にする。また、Ｉ／Ｆ２７は、通信端末１０−１を介して、制御装置２０と携帯端末１０との間で、データの転送速度の調整や、データ形式の変換を行い、両者間のデータのやりとりを仲介する。例えば、Ｉ／Ｆ１４は、撮影開始前の携帯端末１０に撮影オーダ情報を送信するとともに、撮影終了後の携帯端末１０からカセッテＩＤと対応付けられた撮影オーダ情報を受信する。
【００６３】
次に、本実施の形態の動作を説明する。
なお、後述するフローチャートに記述されている各機能を実現するためのプログラムはコンピュータが読み取り可能なプログラムコードの形態で携帯端末１０の記憶装置１６又は制御装置２０の記憶装置２６に格納されており、携帯端末１０のＣＰＵ１１又は制御装置２０のＣＰＵ２１は、当該プログラムコードに従った動作を逐次実行する。
【００６４】
まず、撮影を行う準備処理として、撮影室において制御装置２０から携帯端末１０に撮影オーダ情報を取得させる撮影準備処理について説明する。
【００６５】
図５（ａ）は、制御装置２０のＣＰＵ２１により実行される撮影準備処理を示すフローチャートである。図５（ａ）に示すように、ＣＰＵ２１は、技師により入力部２２を介して撮影オーダ情報の送信指示が入力されると（ステップＳ１）、Ｉ／Ｆ２７を制御して、携帯端末１０が通信端末１０−１に装着されているか否かを判別する（ステップＳ２）。ここで、通信端末１０−１に携帯端末１０が装着されていない場合（ステップＳ２；ＮＯ）、ＣＰＵ２１は、表示部２３にエラー表示を行い、本撮影準備処理を終了する。
【００６６】
一方、通信端末１０−１に携帯端末１０が装着されている場合（ステップＳ２；ＹＥＳ）、ＣＰＵ１１は、撮影オーダ情報ファイル２６１から撮影オーダ情報を取得し、通信端末１０−１を介して撮影オーダ情報を携帯端末１０に送信する（ステップＳ３）。そして、ＣＰＵ１１は、送信済み撮影オーダ情報の送信終了フラグをＯＮに設定して（ステップＳ４）、本撮影オーダ情報送信処理を終了する。
【００６７】
図５（ｂ）は、携帯端末１０のＣＰＵ１１により実行される撮影準備処理を示すフローチャートである。図５（ｂ）に示すように、携帯端末１０は、撮影オーダ情報を取得するため、通信端末１０−１に装着される（ステップＳ１１）。
【００６８】
次いで、ＣＰＵ１１は、Ｉ／Ｆ１４を制御して、制御装置２０から送信される撮影オーダ情報を受信する（ステップＳ１２）。そして、ＣＰＵ１１は、受信した撮影オーダ情報を記憶装置１６の撮影オーダ情報ファイル１６１に記憶させ（ステップＳ１３）、本撮影オーダ情報取得処理を終了する。
【００６９】
上述した撮影準備処理において、制御装置２０の表示部２３に表示される表示画面について図６〜図８を参照して説明する。
【００７０】
図６は、所望の処理を選択するためのメニュー画面２３１を示す図である。図６に示すように、メニュー画面２３１には、システムメニューとして、「システムの状態」、「技師選択」、「検査履歴」、「ユーティリティ」、「画面形式」、「運用形態」の各メニューを指示する指示釦が設けられている。また、「画面形式」、「運用形態」の指示釦には、入力項目が設けられ、例えば、「運用形態」の入力項目に「ポータブル」を入力して、当該釦を指示すると、ポータブル撮影装置４０にて撮影を行う場合のポータブルモード画面が表示される。なお、この「運用形態」の入力項目に「通常」を入力すると、通常の撮影室で撮影を行う場合の通常モード画面が表示される。
【００７１】
図７は、ポータブルモードにおいて、撮影オーダ情報が一覧表示されるポータブルリスト画面２３２を示す図である。図７に示すように、ポータブルリスト画面２３２には、撮影オーダ情報を表示する領域と、各種指示を入力する指示釦を表示する領域とが設けられている。撮影オーダ情報を表示する領域には、撮影オーダ情報の一部として、患者ＩＤ、タブ種別、氏名、性別、生年月日、撮影部位、撮影数、保留を表示する項目が設けられ、各項目には、それぞれ対応するデータが表示されている。
【００７２】
また、ポータブルリスト画面２３２の右端及び下端において、各種指示を入力する指示釦を表示する領域には、選択キーの他、「送信」、「受信」、「新規／検索」、「修正」、「削除」、…、「確認画面」のテキストデータが表示された指示釦が設けられている。この各指示釦が入力部２２を介して操作されることにより、対応する指示が入力される。例えば、ポータブルリスト画面２３２に表示されている撮影オーダ情報が選択キーにより選択され、「送信」指示釦が操作されると、選択された撮影オーダ情報が携帯端末１０に送信される。ここで、撮影オーダ情報が携帯端末１０に送信されると、当該撮影オーダ情報の送信終了フラグがＯＮに設定され、「タブ種別」の項目には、送信済みのチェックフラグ「→」が表示される。また、「新規／検索」指示釦が操作されると、撮影オーダ情報を新規に登録するための入力画面２３３，２３４が表示される。
【００７３】
図８は、上述したポータブルリスト画面２３２において、「新規／検索」指示釦が操作された場合に表示される入力画面２３３，２３４を示す図である。図８（ａ）は、撮影オーダ情報のうち、患者情報を新規に入力するための入力画面２３３を示す図である。図８（ａ）に示すように、入力画面２３２には、患者情報を入力する領域と、文字入力を行うための文字キーを表示する領域とが設けられている。
【００７４】
入力画面２３３の上段に表示される患者情報を入力する領域には、患者ＩＤ、患者氏名（ローマ字、カナ、漢字）、性別、生年月日、コメントを入力する項目が設けられており、入力部２２の操作に応じて入力されたデータが対応する項目に表示される構成となっている。また、入力画面２３３の下段に表示される文字キーを表示する領域においては、当該表示された文字キーに対応するキー入力が入力部２２の備えるマウスやタッチパネルを介して行われる。なお、キー入力は、入力部２２の備えるキーボードを介して行うことも可能である。
【００７５】
図８（ｂ）は、撮影オーダ情報のうち、撮影情報を新規に入力するための入力画面２３４を示す図である。図８（ｂ）に示すように、撮影情報入力画面２３４には、撮影条件として撮影部位を指示する指示釦を表示する領域と、撮影部位における撮影方向を指示する指示釦を表示する領域と、入力された撮影部位及び撮影方向を表示する領域とが設けられている。
【００７６】
入力画面２３４の左側上段に表示される撮影部位の指示釦を表示する領域には、例えば、「頭部」、「頚部」、…、「ＴＥＳＴ」のテキストデータが表示された指示釦が設けられ、各指示釦が入力部２２を介して指示されることにより、対応する撮影部位が選択される。また、入力画面２３４の左側中段に表示される撮影方向の指示釦を表示する領域には網掛け表示が行われ、ポータブルモードでは、選択不可能な構成となっている。すなわち、当該領域に表示される撮影部位は、ポータブル撮影装置４０により、撮影不可能な撮影部位であることを示している。なお、選択不可能な表示方法として、網掛け表示の他に、非表示又は非アクティブ表示とすることも可能である。また、選択不可能な指示釦が指示された場合に、音声や画像により警告を出力する構成であってもよい。
【００７７】
また、入力画面２３４の左側下段に表示される撮影方向の指示釦を表示する領域には、例えば、「胸部  他」の撮影部位における撮影方向として、「斜位」、…、「じん肺」のテキストデータが表示された指示釦が設けられ、各指示釦が入力部２２を介して指示されることにより、対応する撮影方向が選択される。さらに、入力画面２３３の右側に表示される撮影部位及び撮影方向を表示する領域には、上述した指示釦が指示されることにより選択された撮影部位及び撮影方向が、例えば、「胸部  他  斜位」として表示される。
【００７８】
次に、撮影の開始前に撮影を行う病室において、携帯端末１０により患者ＩＤ及びカセッテＩＤと撮影オーダ情報との対応付けを行う撮影開始処理について説明する。
【００７９】
図９は、携帯端末１０のＣＰＵ１１により実行される撮影開始処理を示すフローチャートである。図９に示すように、ＣＰＵ１１は、バーコードリーダ１７を制御して、患者のベッドサイド又は患者の身体の一部に付帯されたバーコードを読み取り、患者ＩＤを取得する（ステップＳ２１）。次いで、ＣＰＵ１１は、読み取った患者ＩＤに対応する撮影オーダ情報を撮影オーダ情報ファイル１６１から取得する（ステップＳ２２）。
【００８０】
続いて、ＣＰＵ１１は、取得した撮影オーダ情報を表示部１３に表示させるとともに（ステップＳ２３）、バーコードリーダ１７を制御して、撮影を行うカセッテ５０に付されたバーコードを読み取り、カセッテＩＤを取得する（ステップＳ２４）。そして、ＣＰＵ１１は、取得したカセッテＩＤを撮影オーダ情報に対応付けて撮影オーダ情報ファイル１６１に記憶させる（ステップＳ２５）。
【００８１】
さらに、ＣＰＵ１１は、撮影オーダ情報に対応付けて記憶したカセッテＩＤに基づいて、撮影枚数のデータを更新して記憶する（ステップＳ２６）。すなわち、カセッテＩＤを一つ読み取る毎に対応する撮影オーダ情報の撮影枚数をインクリメント（＋１）して更新する。そして、ＣＰＵ１１は、続けてカセッテＩＤの読み取りを行うか否かを判別し（ステップＳ２７）、カセッテＩＤの読み取りを継続する場合（ステップＳ２７；ＹＥＳ）、ステップＳ２４に移行して上述した処理を繰り返して実行する。また、カセッテＩＤの読み取りを行わない場合（ステップＳ２７；ＮＯ）、ＣＰＵ１１は、本撮影開始処理を終了する。
【００８２】
上述した撮影開始処理において、携帯端末１０の表示部１３に表示される表示画面について図１０を参照して説明する。図１０（ａ）は、携帯端末１０に登録された患者を一覧表示する患者リスト画面１３１を示す図である。図１０（ａ）に示すように、患者リスト画面１３１には、患者情報を示す領域が設けられ、この領域には、患者ＩＤ、患者の氏名、病棟を表示する項目が設けられている。具体的に、患者ＩＤの項目には、「０００１」の数字データが表示され、氏名の項目には、「山田  一郎」のテキストデータが表示されている。
【００８３】
図１０（ｂ）は、携帯端末１０のバーコードリーダ１７により、患者ＩＤが取得された場合に、対応する患者の撮影オーダ情報を表示する表示画面１３２を示す図である。図１０（ｂ）に示すように、表示画面１３２には、患者情報を表示する領域と、撮影情報を表示する領域とが設けられている。患者情報を表示する領域には、患者氏名、患者ＩＤ、性別、年齢、病棟、病室を表示する項目が設けられ、各項目には、対応するデータが表示されている。
【００８４】
また、撮影情報を表示する領域には、撮影部位、カセッテＩＤを表示する項目が設けられており、カセッテＩＤの項目には、携帯端末１０のバーコードリーダ１７により取得されたデータが、読み取りと同時に表示される構成となっている。具体的に、撮影部位の項目には、「胸部  他  斜位」のテキストデータが表示され、カセッテＩＤの項目には、「０４０００１０８０２２０１６」の数字データが表示されている。
【００８５】
続いて、本発明に特徴的な処理として、撮影終了後、撮影室において携帯端末１０から撮影オーダ情報及びカセッテＩＤを制御装置２０に送信する撮影終了後処理について説明する。
【００８６】
図１１は、制御装置２０のＣＰＵ２１により実行される撮影終了後処理を示すフローチャートである。図１１に示すように、ＣＰＵ２１は、通信端末１０−１を介して、携帯端末１０から撮影オーダ情報に対応付けられたカセッテＩＤを受信すると（ステップＳ３１；ＹＥＳ）、受信した撮影オーダ情報に対応する撮影オーダ情報を撮影オーダ情報ファイル２６１から取得する（ステップＳ３２）。次いで、ＣＰＵ２１は、携帯端末１０から受信した撮影オーダ情報と、撮影オーダ情報ファイル２６１から取得した撮影オーダ情報とを比較して、撮影オーダ情報が一致しているか否かを判別する（ステップＳ３３）。
【００８７】
ここで、撮影オーダ情報が一致しない場合とは、例えば、受信した撮影オーダ情報に記憶される撮影枚数と、撮影オーダ情報ファイル２６１から取得した撮影枚数が異なる場合に、撮影オーダ情報が一致しないと判別する。また、撮影が全く行われずに、受信した撮影オーダ情報に記憶される撮影枚数が０のままの場合にも、撮影オーダ情報が一致しないと判別される。すなわち、ＣＰＵ２１は、撮影オーダ情報にカセッテＩＤが対応付けて記憶されていない場合、撮影が行われていないもとの判別して、撮影オーダ情報が不一致であると判別する。なお、判別の対象となるデータは撮影枚数に限らず、その他種々の項目に記憶されるデータに基づいて、撮影オーダ情報の一致を判別する構成であってよい。
【００８８】
撮影オーダ情報が一致している場合（ステップＳ３３；ＹＥＳ）、ＣＰＵ２１は、受信した撮影オーダ情報に対応付けられたカセッテＩＤを撮影オーダ情報ファイル２６１に記憶されている撮影オーダ情報に対応付けて記憶させ（ステップＳ４０）、ステップＳ３７に移行する。
【００８９】
一方、撮影オーダ情報が一致していない場合（ステップＳ３３；ＮＯ）、ＣＰＵ２１は、撮影オーダ情報ファイル２６１に記憶されている撮影オーダ情報の内容を受信した撮影オーダ情報の内容に更新して記憶させるか否かを確認するメッセージを表示部２３に表示させる（ステップＳ３４）。なお、ここで、入力部２２を介して、撮影オーダ情報の修正を行う指示が入力された場合、ＣＰＵ２１は、上述した撮影オーダ情報を入力する入力画面２３３、２３４を表示部２３に表示させ、撮影オーダ情報の修正を行わせる。
【００９０】
次いで、ＣＰＵ２１は、入力部２２を介して、撮影オーダ情報を更新する指示が入力されたか否かを判別し（ステップＳ３５）、撮影オーダ情報を更新する指示が入力された場合（ステップＳ３５；ＹＥＳ）、記憶装置２６の撮影オーダ情報ファイル２６１に記憶されている撮影オーダ情報を、携帯端末１０から受信した撮影オーダ情報又は修正した撮影オーダ情報の内容に更新する。そして、ＣＰＵ２１は、更新した撮影オーダ情報に対応付けて受信したカセッテＩＤを撮影オーダ情報ファイル２６１に記憶させる（ステップＳ３６）。
【００９１】
さらに、ＣＰＵ２１は、医用画像読取装置４０から医用画像及びカセッテＩＤを受信したか否かを判別し（ステップＳ３７）、医用画像及びカセッテＩＤを受信すると（ステップＳ３７；ＹＥＳ）、受信したカセッテＩＤに基づいて、医用画像と撮影オーダ情報とを対応付けて撮影オーダ情報ファイル２６１に記憶させる（ステップＳ３８）。そして、ＣＰＵ２１は、技師の指示に応じて撮影オーダ情報ファイル２６１から撮影オーダ情報及びカセッテＩＤを取得して情報管理装置６０に送信し（ステップＳ３９）、本撮影終了後処理を終了する。
【００９２】
一方、ステップＳ３５において、撮影オーダ情報を更新しない指示が入力された場合（ステップＳ３５）、ＣＰＵ２１は、当該撮影オーダ情報を携帯端末１０からキャンセルするか否かのメッセージを表示部２３に表示させ、撮影オーダ情報をキャンセルする指示が入力されたか否かを判別する（ステップＳ４１）。撮影オーダ情報をキャンセルする指示が入力された場合（ステップＳ４１；ＹＥＳ）、対応する撮影オーダ情報を消去する指示を携帯端末１０に送信して、撮影オーダ情報を携帯端末１０から消去させる（ステップＳ４２）。
【００９３】
そして、ＣＰＵ２１は、対応する撮影オーダ情報の送信済みフラグをＯＦＦに設定して（ステップＳ４３）、本撮影終了後処理を終了する。また、撮影オーダ情報をキャンセルする指示が入力されない場合（ステップＳ４１；ＮＯ）、ＣＰＵ２１は、対応する撮影オーダ情報を保留にして（ステップＳ４４）、本撮影終了後処理を終了する。
【００９４】
なお、本撮影終了後処理を終了した制御装置２０のＣＰＵ２１は、撮影オーダ情報ファイル２６１に記憶される撮影オーダ情報及びカセッテＩＤを情報管理装置６０に送信する。また、情報管理装置６０は、複数の制御装置２０から撮影オーダ情報及びカセッテＩＤを受信して、図示しない記憶装置に記憶させるとともに、医用画像読取装置４０から医用画像及びカセッテＩＤを受信して、撮影オーダ情報と医用画像との対応付けを行い、システム全体の医用画像を統括して管理する。
【００９５】
図１２は、携帯端末１０のＣＰＵ１１により実行される撮影終了後処理を示すフローチャートである。図１２に示すように、ＣＰＵ１１は、通信端末１０−１から出力される検出信号に従って、携帯端末１０が通信端末１０−１に装着されたか否かを判別する（ステップＳ５１）。通信端末１０−１に携帯端末１０が装着された場合（ステップＳ５１；ＹＥＳ）、ＣＰＵ１１は、撮影オーダ情報及びカセッテＩＤを撮影オーダ情報ファイル１６１から取得して、制御装置２０に送信する（ステップＳ５２）。
【００９６】
次いで、ＣＰＵ１１は、カセッテＩＤを送信した撮影オーダ情報について、送信終了フラグをＯＮに設定する（ステップＳ５３）。また、ＣＰＵ１１は、送信した撮影オーダ情報について、制御装置２０からキャンセル指示を受信したか否かを判別する（ステップＳ５４）。制御装置２０からキャンセル指示を受信した場合（ステップＳ５４；ＹＥＳ）、ＣＰＵ１１は、対応する撮影オーダ情報を撮影オーダ情報ファイル１６１から消去する（ステップＳ５５）。
【００９７】
続いて、ＣＰＵ１１は、撮影オーダ情報ファイル１６１に未送信の撮影オーダ情報があるか否かを判別し（ステップＳ５６）、未送信の撮影オーダ情報がある場合（ステップＳ５６；ＹＥＳ）、ステップＳ５２に移行して、上述した処理を繰り返して実行する。一方、撮影オーダ情報ファイル１６１に格納される全ての撮影オーダ情報について、撮影オーダ情報及びカセッテＩＤを送信した場合（ステップＳ５６；ＮＯ）、ＣＰＵ１１は、本撮影終了後処理を終了する。
【００９８】
上述した撮影終了後処理において、制御装置２０の表示部２３に表示される表示画面について図１３〜１４を参照して説明する。図１３は、携帯端末１０から撮影オーダ情報を受信する際に、表示部２３に表示されるポータブルリスト画面を示す図である。
【００９９】
図１３（ａ）は、撮影オーダ情報を更新するか否かを確認するメッセージが表示されたポータブルリスト画面２３５を示す図である。図１３（ａ）に示すように、ポータブルリスト画面２３５は、図７に示すポータブルリスト画面２３２と同一の画面構成によってなり、上述したように撮影オーダ情報を表示する領域と、各種指示を入力する指示釦を表示する領域とが設けられている。ここで、携帯端末１０から受信した撮影オーダ情報が不一致であった場合、対応する撮影オーダ情報が表示されている領域に重畳して、確認メッセージが表示される。
【０１００】
具体的に、確認メッセージには、「撮影オーダ情報不一致  データを更新しますか？」なるテキストデータが表示されている。また、その下部には、「はい」、「いいえ」、「修正」のテキストデータが表示され、更新確認の指示を入力可能な構成となっている。ここで、「はい」が操作されると、撮影オーダ情報の更新を行うとともにカセッテＩＤの対応付けが行われ、「いいえ」が操作されると、撮影オーダ情報の更新を行わずカセッテＩＤの対応付けが行われる。また、「修正」が操作されると、撮影オーダ情報を入力するための入力画面２３３、２３４（図８参照）が表示される。
【０１０１】
また、図１３（ｂ）は、撮影オーダ情報をキャンセルするか否かを確認するメッセージが表示された表示画面２３６を示す図である。図１３（ｂ）に示すように、表示画面２３６には、患者情報を表示する領域と、撮影オーダ情報を表示する領域が設けられ、対応する撮影オーダ情報が表示されている領域に重畳して、確認メッセージが表示されている。
【０１０２】
具体的に、確認メッセージには、「撮影オーダ情報不一致  カセッテＩＤが記憶されていません  撮影オーダ情報をキャンセルしますか？」なるテキストデータが表示されている。また、その下部には、「はい」、「いいえ」のテキストデータが表示され、キャンセル確認の指示を入力可能な構成となっている。ここで、「はい」が操作されると、携帯端末１０には、キャンセル指示が送信される。
【０１０３】
また、「いいえ」が操作された場合、すなわち、携帯端末１０から受信した撮影オーダ情報と、制御装置２０に記憶された撮影オーダ情報が一致しなかった場合であって、撮影オーダ情報の更新及びキャンセルの指示が入力されなかった場合、当該撮影オーダ情報は保留となり、保留の項目には「保留」としてテキストデータが表示される。
【０１０４】
次に、図１４を参照して、制御装置２０の表示部２３に表示される医用画像について説明をする。図１４は、携帯端末１０を利用して撮影を行った場合に、表示部２３に表示されるポータブル処理画面２３６を示す図である。図１４に示すように、ポータブル処理画面２３６には、同一の携帯端末１０に登録された複数の患者の医用画像が同一画面に表示される構成となっている。
【０１０５】
すなわち、ポータブル処理画面２３６には、技師情報を表示する領域と、患者毎に患者情報、医用画像、撮影情報を表示する領域とが設けられ、同一画面には、４種類の医用画像が表示可能な構成となっている。具体的に、ポータブル処理画面２３５の左上端の技師情報を表示する領域には、技師の氏名として「スズキタロウ」のテキストデータを表示する項目が設けられている。また、患者毎に表示される医用画像として、左端に表示されている医用画像について説明すると、患者情報を表示する領域には、患者ＩＤとして「０００１」の数字データを表示する項目と、氏名として「山田  一郎」のテキストデータを表示する項目とが設けられている。
【０１０６】
その下部には、医用画像を表示する領域が設けられ、医用画像と、読取装置ＩＤとして「１７０」の数字データを表示する項目と、解像度として「通常」のテキストデータを表示する項目とが設けられている。さらに、その下部には、撮影情報を表示する領域が設けられ、撮影部位として「胸部  他  斜位」のテキストデータを表示する項目と、カセッテＩＤとして「０１０００１０８０２２０１６」の数字データを表示する項目が設けられている。
【０１０７】
以上のように、本実施の形態の医用画像撮影システム１００によれば、撮影終了後、携帯端末１０から撮影オーダ情報に対応付けてカセッテＩＤを制御装置２０に送信する際に、制御装置２０は、受信した撮影オーダ情報と、撮影オーダ情報ファイル２６１に記憶されている撮影オーダ情報が一致するか否かを判別し、撮影オーダ情報が一致する場合、受信したカセッテＩＤを撮影オーダ情報に対応付けて記憶する。また、受信した撮影オーダ情報が一致しない場合、撮影オーダ情報の更新を行うか否かを入力させ、更新を行う指示が入力された場合、受信した撮影オーダ情報の内容に更新し、カセッテＩＤを更新した撮影オーダ情報に対応付けて記憶する。
【０１０８】
したがって、制御装置２０に記憶されている撮影オーダ情報と、携帯端末２０から受信した撮影オーダ情報とが一致しない場合、撮影オーダ情報を更新するか否かを確認するためのメッセージを表示させて、指示を入力させることができるため、撮影オーダ情報の不一致というトラブルが発生した場合であっても、技師に指示を促して速やかにトラブルに対応できる。これにより、撮影オーダ情報の不一致により、処理が中断されることがなく、処理効率を向上させることができる。また、撮影オーダ情報の追加又は変更等の入力を必要としないため、技師による入力ミスを防止して、撮影オーダ情報の管理を確実に行うことができる。さらに、入力に係る手間及び時間を省略して、技師の業務効率を向上させることができる。
【０１０９】
また、撮影オーダ情報が一致しない場合、制御装置２０において撮影オーダ情報を修正して、撮影オーダ情報の更新を行うこともできるため、撮影状況に応じて、撮影オーダ情報を管理することができる。或いは、撮影オーダ情報が一致しない場合、例えば、回診先から撮影室までの移動中に、携帯端末１０のボタン等を誤って押下してしまう等、技師の意図しない要因により携帯端末１０に記憶された撮影オーダ情報に追加や変更があった場合に、追加や変更があった部分を修正して、撮影オーダ情報を適切に管理することができる。
【０１１０】
また、撮影オーダ情報が一致する場合は、受信したカセッテＩＤを撮影オーダ情報ファイル２６１に記憶されている撮影オーダ情報に対応付けて記憶させるため、技師の指示を必要とせずに、撮影オーダ情報とカセッテＩＤを対応付けて管理することができる。そして、医用画像読取装置４０から医用画像と、医用画像に対応付けられたカセッテＩＤを受信した場合、カセッテＩＤに基づいて、医用画像と撮影オーダ情報とを対応付けて管理する。これにより、トラブルが発生していない場合には、技師の手間を省いて、効率良く撮影オーダ情報とカセッテＩＤの対応付けを行い、医用画像と撮影オーダ情報とを対応受けて管理することができる。
【０１１１】
また、撮影オーダ情報を更新せず、キャンセルする指示が入力された場合、制御装置２０は、撮影オーダ情報をキャンセルする指示を携帯端末１０に送信して、対応する撮影オーダ情報を携帯端末１０から消去させる。或いは、撮影オーダ情報の更新及びキャンセルの指示が入力されない場合、制御装置２０は、対応する撮影オーダ情報を保留にする。
【０１１２】
したがって、携帯端末１０に送信された撮影オーダ情報に基づいて撮影が行われなかった場合に、撮影オーダ情報をキャンセルするか否かを確認するためのメッセージを表示させるため、技師は撮影が行われなかった撮影オーダ情報があることを再確認することができる。これにより、技師に注意を促して撮影忘れを防止することができる。また、撮影が行われなかった撮影オーダ情報を携帯端末１０からキャンセルさせることにより、携帯端末１０に未撮影の撮影オーダ情報がいつまでも残存してしまうことがない。すなわち、携帯端末１０に記憶されている未撮影の撮影オーダ情報をキャンセルして、送信終了フラグをＯＦＦにすることにより、制御装置２０で再度管理可能にすることができる。これにより、撮影忘れを防止するとともに、業務を再分配させることができ、業務効率を向上させることができる。
【０１１３】
さらに、制御装置２０は、上述した処理により撮影オーダ情報ファイル２６１に記憶させた撮影オーダ情報及びカセッテＩＤを、情報管理装置６０に送信するため、実際の撮影が行われ、撮影オーダ情報が更新して記憶された場合、更新された内容の撮影オーダ情報が情報管理装置６０に送信させることができる。一方、情報管理装置６０は、最新の情報に基づいて撮影オーダ情報や医用画像の管理を行うことができ、システム全体で情報を共有して、効率良くシステムを運用することができる。
【０１１４】
なお、上述した本実施の形態における記述は、本発明に係る好適な医用画像撮影システム及び医用画像管理方法の一例であり、これに限定されるものではない。
【０１１５】
例えば、上述した医用画像撮影システム１００のシステム構成は一例であり、これに限定されるものではない。図１５に示す医用画像撮影システム２００のように、携帯端末１０と、制御装置２０との通信を制御する通信端末１０−１は、制御装置２０に直接接続される構成でなくてもよく、ネットワークＮに接続され、ネットワークＮを介して、複数の制御装置２０と任意に通信可能な構成であってもよい。
【０１１６】
この医用画像撮影システム２００において、制御装置２０から携帯端末１０に送信される撮影オーダ情報には、撮影オーダ情報に対応付けられたカセッテＩＤの送信先（例えば、ネットワーク上のコンピュータを識別するためのＩＰアドレス等）を含むことが好ましい。すなわち、ネットワークＮに接続される複数の制御装置２０に対して任意に情報が送信可能であるため、通信端末１０−１への装着を検出した携帯端末１０のＣＰＵ１１は、撮影オーダ情報からカセッテＩＤの送信先を取得し、取得した送信先に対応する制御装置２０に撮影オーダ情報に対応付けられたカセッテＩＤを送信する。
【０１１７】
また、携帯端末１０は、撮影オーダ情報を受信した制御装置２０の識別情報を記憶しておき、制御装置２０から受信した撮影オーダ情報に送信先が含まれていない場合、当該撮影オーダ情報を受信した制御装置２０に撮影オーダ情報に対応付けられたカセッテＩＤを送信する構成であってもよい。或いは、携帯端末１０の操作部１２から送信先を入力し、当該指定された送信先に必要な情報を送信する構成であってもよい。
【０１１８】
この構成によれば、病院内のどこにいても、所望の制御装置２０に携帯端末１０から情報を送信することができるため、例えば、早急に情報が必要になった場合、速やかに必要な情報を送信することができる。また、携帯端末１０の記憶装置１６の容量を越えそうな場合であっても、制御装置２０が設置されている撮影室まで行くことなく、速やかに情報を送信して、データのバックアップを図ることができ、利便性がよい。
【０１１９】
また、本実施の形態においては、実際に撮影された撮影枚数を記録して、記録された撮影枚数に応じて一致しているか否かを判別する場合を例として説明を行ったがこれに限らず、撮影オーダ情報により指示された内容と異なる撮影が行われた場合に、撮影オーダ情報ファイル１６１の対応する項目に、異なる撮影内容を示すデータを記憶する構成であってもよい。これにより、制御装置２０に記憶された撮影オーダ情報と、携帯端末１０に記憶された撮影オーダ情報と種々の項目について一致、不一致を判別して、撮影オーダ情報の更新、キャンセル等を行うことができる。
【０１２０】
その他、本実施の形態における医用画像撮影システム１００の各構成要素の細部構成、及び細部動作に関しては、本発明の趣旨を逸脱することのない範囲で適宜変更可能であることは勿論である。
【０１２１】
【発明の効果】
請求項１又は５記載の発明によれば、制御装置の記憶手段に記憶されている撮影オーダ情報と、携帯端末から受信した撮影オーダ情報とが一致している場合にのみ、携帯端末から受信したカセッテの識別情報を撮影オーダ情報に対応付けて記憶手段に記憶させることができる。これにより、記憶手段に記憶されている撮影オーダ情報と一致しない撮影オーダ情報が記憶されてしまうことによるトラブルの発生を防ぐことができ、効率良く撮影オーダ情報及びカセッテの識別情報を対応付けて管理することができる。
【０１２２】
請求項２又は６記載の発明によれば、制御装置の記憶手段に記憶されている撮影オーダ情報と、携帯端末から受信した撮影オーダ情報とが一致しない場合、撮影オーダ情報を更新するか否かのメッセージを表示し、撮影オーダ情報を更新するか否かの指示を入力させることができる。これにより、撮影オーダ情報が一致しない場合に、技師の判断に応じて撮影オーダ情報の更新を行うことができ、撮影オーダ情報の指示通りに撮影が行えなかった場合であっても、その変更に応じて、撮影オーダ情報を修正して管理することができる。
【０１２３】
請求項３又は８記載の発明によれば、撮影オーダ情報が一致しない場合、例えば、撮影状況に応じて撮影オーダ情報に変更があった場合、技師の意図しない要因により携帯端末に記憶された撮影オーダ情報に変更があった場合に、制御装置において、変更があった部分の修正や追加修正を行い、撮影オーダ情報を適切に管理することができる。
【０１２４】
請求項４又は９記載の発明によれば、撮影オーダ情報とが一致しない場合、制御装置は、撮影オーダ情報をキャンセルするか否かのメッセージを表示し、撮影オーダ情報をキャンセルするか否かの指示を入力させる。そして、撮影オーダ情報をキャンセルする指示が入力された場合、携帯端末にキャンセル指示を送信し、携帯端末に記憶された対応する撮影オーダ情報を消去する。これにより、例えば、携帯端末から受信した撮影オーダ情報にカセッテの識別情報が対応付けられていない場合、技師は撮影が行われなかったと判断して、携帯端末に記憶させた撮影オーダ情報を消去することができる。この結果、撮影が行われなかった撮影オーダ情報がいつまでも携帯端末に残存することなく、撮影忘れを防止することができる。
【０１２５】
請求項５又は１０記載の発明によれば、制御装置は、記憶手段に記憶させた撮影オーダ情報及びカセッテの識別情報を情報管理装置に送信し、情報管理装置は、複数の制御装置から受信した撮影オーダ情報及びカセッテの識別情報を統括して管理することができる。すなわち、情報管理装置は、最新の情報に更新された撮影オーダ情報及びカセッテの識別情報を受信し、これらの情報に基づいて、医用画像撮影システム全体を効率良く管理することができる。
【図面の簡単な説明】
【図１】本発明を適用した実施の形態における医用画像撮影システム１００のシステム構成を示す図である。
【図２】図１に示す携帯端末１０の要部構成を示すブロック図である。
【図３】図２の記憶装置１６に記憶される撮影オーダ情報ファイル１６１のデータ構成を示す図である。
【図４】図１に示す制御装置２０の要部構成を示すブロック図である。
【図５】（ａ）制御装置２０のＣＰＵ２１により実行される撮影準備処理を示すフローチャートである。（ｂ）携帯端末１０のＣＰＵ１１により実行される撮影準備処理を示すフローチャートである。
【図６】制御装置２０の表示部２３に表示されるメニュー画面の一例を示す図である。
【図７】制御装置２０の表示部２３に表示されるポータブルリスト画面の一例を示す図である。
【図８】（ａ）制御装置２０の表示部２３に表示される患者情報を入力するための入力画面の一例を示す図である。
（ｂ）制御装置２０の表示部２３に表示される撮影情報を入力するための入力画面の一例を示す図である。
【図９】携帯端末１０のＣＰＵ１１により実行される撮影開始処理を示すフローチャートである。
【図１０】（ａ）携帯端末１０の表示部１３に表示される患者リスト画面の一例を示す図である。
（ｂ）携帯端末１０の表示部１３に表示される表示画面の一例を示す図である。
【図１１】制御装置２０のＣＰＵ２１により実行される撮影終了後処理を示すフローチャートである。
【図１２】携帯端末１０のＣＰＵ１１により実行される撮影終了後処理を示すフローチャートである。
【図１３】（ａ）制御装置２０の表示部２３に表示されるポータブルリスト画面の一例を示す図である。
（ｂ）制御装置２０の表示部２３に表示されるポータブルリスト画面の一例を示す図である。
【図１４】制御装置２０の表示部２３に表示されるポータブル処理画面の一例を示す図である。
【図１５】本発明を適用した他の形態における医用画像撮影システム２００のシステム構成を示す図である。
【符号の説明】
１００，２００    医用画像撮影システム
１０  携帯端末
１１    ＣＰＵ
１２    操作部
１３    表示部
１４    Ｉ／Ｆ
１５    ＲＡＭ
１６    記憶装置
１７    バーコードリーダ
１８    バス
２０  制御装置
２１    ＣＰＵ
２２    入力部
２３    表示部
２４    通信制御部
２５    ＲＡＭ
２６    記憶装置
２７    Ｉ／Ｆ
２８    バス
３０  医用画像読取装置
４０  ポータブル撮影装置
５０  カセッテ
６０  情報管理装置
Ｎ    ネットワーク
【図１】
2004287904.tif 000003
【図２】
2004287904.tif 000004
【図３】
2004287904.tif 000005
【図４】
2004287904.tif 000006
【図５】
2004287904.tif 000007
【図６】
2004287904.tif 000008
【図７】
2004287904.tif 000009
【図８】
2004287904.tif 000010
【図９】
2004287904.tif 000011
【図１０】
2004287904.tif 000012
【図１１】
2004287904.tif 000013
【図１２】
2004287904.tif 000014
【図１３】
2004287904.tif 000015
【図１４】
2004287904.tif 000016
【図１５】
2004287904.tif 000017